(57)【要約】【課題】カムスライドの耐荷重性能を向上でき、しかも、より多くの復帰機構をカムスライドに対して設置できて強力な復帰力をカムスライドに付与できる上に、部品点数の削減に加えて大幅なコスト削減を図り得るカム装置を提供すること。【解決手段】カム装置１は、上下動自在な上型２に固着されていると共に傾斜面３を有したカムドライバ４と、カムドライバ４の傾斜面３に接触してＢ方向に移動されるようになっているカムスライド５と、カムスライド５をＡ及びＢ方向に移動自在に支持するカムスライド支持手段６と、カムスライド５を初期位置に復帰させる復帰機構７と、カムスライド５の初期位置への復帰においてカムスライド５のカムスライド支持手段６への激突を防止する弾性ストッパ部材８とを備えている。【選択図】      図１
2004314149.tif 000002
【特許請求の範囲】
【請求項１】
カムドライバと、このカムドライバに接触して移動されるようになっているカムスライドと、このカムスライドを移動自在に支持するカムスライド支持手段と、カムスライドを初期位置に復帰させる復帰機構とを備えており、カムスライド支持手段は、型基部と、この型基部に一体的に突設された一対の突起部とを具備しており、復帰機構は、一端部ではカムスライド支持手段の一方の突起部に、他端部ではカムスライド支持手段の他方の突起部に夫々固着されたロッドと、このロッドを取り巻いて配されたコイルばねと、ロッドの一端部側に配されていると共にコイルばねの一端部側からの弾性伸長力を受容するばね受けと、このばね受けと協働してコイルばねに初期圧縮力を与えると共にコイルばねの他端部側から受容する弾性伸長力をカムスライドに伝達する伝達手段とを具備しているカム装置。
【請求項２】
ばね受けはロッドにＣリングを介して又は螺合されて固着されている請求項１に記載のカム装置。
【請求項３】
型基部は下型基部であって、一対の突起部は下型基部の凹所において下型基部から一体的に突設されている請求項１又は２に記載のカム装置。
【請求項４】
型基部は上型基部であって、一対の突起部は上型基部の凹所において上型基部から一体的に垂下されている請求項１又は２に記載のカム装置。
【請求項５】
伝達手段は、コイルばねの他端部側からの弾性伸長力を受容すると共にロッドの軸心に沿う方向に可動に配された他のばね受けと、ロッドの軸心に沿う方向であってロッドの他端部に向かう方向の他のばね受けの移動を禁止してコイルばねに初期圧縮力を与えるようにロッドに固着された禁止部材と、一方では他のばね受けに係合し、他方ではカムスライドに固着されていると共にコイルばねの他端部側からの弾性伸長力を他のばね受けを介してカムスライドに伝達する伝達部材とを具備している請求項１から４のいずれか一項に記載のカム装置。
【請求項６】
伝達部材は、他のばね受けに係合すると共にロッドを跨ぐ二股部を具備している請求項５に記載のカム装置。
【請求項７】
伝達手段は、コイルばねの他端部側からの弾性伸長力を受容すると共にロッドの軸心に沿う方向に可動に配された他のばね受けと、ロッドの軸心に沿う方向であってロッドの他端部に向かう方向の他のばね受けの移動を禁止してコイルばねに初期圧縮力を与えるようにロッドに固着された禁止部材とを具備しており、カムスライドは、他のばね受けの外縁部を受容する凹所を具備している請求項１から４のいずれか一項に記載のカム装置。
【請求項８】
禁止部材はロッドに溶接又は螺合されて固着されている請求項５から７のいずれか一項に記載のカム装置。
【請求項９】
ロッドの各端部はねじを介して対応の突起部に夫々固着されている請求項１から８のいずれか一項に記載のカム装置。
【請求項１０】
請求項１から９のいずれか一項に記載のカム装置に用いられる復帰機構。
【発明の詳細な説明】
【０００１】
【発明の属する技術分野】
本発明は、カムドライバによりカムスライドを摺動させて、カムスライドに装着された工具により薄板等の被加工物（ワーク）に孔あけ、折り曲げ等の加工を施すカム装置に関する。
【０００２】
【従来の技術】
【特許文献１】
国際公開第９７／０４８９４号パンフレット
【０００３】
【発明が解決しようとする課題】
カム装置は、通常、カムドライバと、このカムドライバに接触して移動されるようになっているカムスライドと、このカムスライドを移動自在に支持するカムスライド支持手段と、カムスライドを初期位置に復帰させる復帰機構とを備えており、復帰機構は、ロッドと、このロッドを取り巻いて配されたコイルばねとを備えて、ロッドの各端部がカムスライド支持手段としての例えば下型基部にアングル部材等を介して取り付けられて用いられる。
【０００４】
ところで、復帰機構においてロッドの各端部をアングル部材等を介して下型基部に取り付ける場合には、アングル部材等の設置用の凹所を下型基部に形成することになって、カムスライドを移動自在に支持するカムスライド支持手段の面が狭くなり、カムスライドの耐荷重性能が低下する虞がある。
【０００５】
しかも、下型基部と別体のアングル部材等は強度を保障するために比較的大きくならざるを得ないために、カムスライドに対して多くの復帰機構を設けることができなくなる上に、多くの部品を使用することになるために、コストアップを招来する。
【０００６】
本発明は、前記諸点に鑑みてなされたものであって、その目的とするところは、カムスライドの耐荷重性能を向上でき、しかも、より多くの復帰機構をカムスライドに対して設置できて強力な復帰力をカムスライドに付与できる上に、部品点数の削減に加えて大幅なコスト削減を図り得るカム装置を提供することにある。
【０００７】
【課題を解決するための手段】
本発明の第一の態様のカム装置は、カムドライバと、このカムドライバに接触して移動されるようになっているカムスライドと、このカムスライドを移動自在に支持するカムスライド支持手段と、カムスライドを初期位置に復帰させる復帰機構とを備えており、ここで、カムスライド支持手段は、型基部と、この型基部に一体的に突設された一対の突起部とを具備しており、復帰機構は、一端部ではカムスライド支持手段の一方の突起部に、他端部ではカムスライド支持手段の他方の突起部に夫々固着されたロッドと、このロッドを取り巻いて配されたコイルばねと、ロッドの一端部側に配されていると共にコイルばねの一端部側からの弾性伸長力を受容するばね受けと、このばね受けと協働してコイルばねに初期圧縮力を与えると共にコイルばねの他端部側から受容する弾性伸長力をカムスライドに伝達する伝達手段とを具備している。
【０００８】
第一の態様のカム装置によれば、コイルばねに取り巻かれたロッドの各端部が型基部に一体的に突設された各突起部に固着されているために、ロッドを型基部に取り付けるための大きな設置空間を占める特別なアングル部材等を必要としなくなる結果、アングル部材等を設置するための大きな凹所を型基部に形成しなくてもよく、カムスライドを移動自在に支持するカムスライド支持手段の面を広くできて、カムスライドの耐荷重性能を向上でき、しかも、より多くの復帰機構をカムスライドに対して設置できて強力な復帰力をカムスライドに付与できる上に、部品点数の削減に加えて大幅なコスト削減を図り得る。
【０００９】
第一の態様のカム装置において、ばね受けは、コイルばねの一端部側からの弾性伸長力を受容できるように、ロッドに溶接により固着されていても、又は一方の突起部に当接して当該一方の突起部により係止されていてもよいが、好ましくは本発明の第二の態様のカム装置のように、Ｃリングを介して又は螺合されて固着されている。
【００１０】
また本発明において、型基部は上型基部及び下型基部のいずれであってもよいが、型基部が下型基部の場合、本発明の第三の態様のカム装置のように、一対の突起部は下型基部の凹所において下型基部から一体的に突設されているとよく、型基部が上型基部の場合、本発明の第四の態様のカム装置のように、一対の突起部は上型基部の凹所において上型基部から一体的に垂下されているとよく、このように型基部が上型基部の場合には、カム装置はカムスライドが上型基部に吊られた所謂吊りカムタイプのものとして構成するとよい。
【００１１】
伝達手段は、好ましい例では本発明の第五の態様のカム装置のように、コイルばねの他端部側からの弾性伸長力を受容すると共にロッドの軸心に沿う方向に可動に配された他のばね受けと、ロッドの軸心に沿う方向であってロッドの他端部に向かう方向の他のばね受けの移動を禁止してコイルばねに初期圧縮力を与えるようにロッドに固着された禁止部材と、一方では他のばね受けに係合し、他方ではカムスライドに固着されていると共にコイルばねの他端部側からの弾性伸長力を他のばね受けを介してカムスライドに伝達する伝達部材とを具備しており、この例の場合、伝達部材は、本発明の第六の態様のカム装置のように、他のばね受けに係合すると共にロッドを跨ぐ二股部を具備していると、二股部を介して伝達部材を設置でき、カムスライドの組立、分解を容易に行い得る。
【００１２】
伝達手段は、他の好ましい例では本発明の第七の態様のカム装置のように、コイルばねの他端部側からの弾性伸長力を受容すると共にロッドの軸心に沿う方向に可動に配された他のばね受けと、ロッドの軸心に沿う方向であってロッドの他端部に向かう方向の他のばね受けの移動を禁止してコイルばねに初期圧縮力を与えるようにロッドに固着された禁止部材とを具備しており、ここで、カムスライドは、他のばね受けの外縁部を受容する凹所を具備しており、斯かる第七の態様のカム装置によれば、他のばね受けの外縁部の凹所に対する挿抜でもって、復帰機構とカムスライドとの結合、分離を行い得、組立、分解を容易く行うことができる。
【００１３】
禁止部材は、ばね受けと同様にＣリング等を介してロッドに固着されていてもよいが、好ましくは本発明の第八の態様のカム装置のように、ロッドに溶接又はより好ましくは螺合されて固着されている。
【００１４】
ロッドは、その各端部で溶接等により対応の突起部に夫々固着されていてもよいが、カムスライド支持手段への取り付け及び取り外しの容易性の観点から好ましくは本発明の第九の態様のカム装置のように、ロッドの各端部はねじを介して対応の突起部に夫々固着されている。
【００１５】
次に本発明及びその実施の形態を、図に示す例を参照して更に詳細に説明する。なお、本発明はこの例に何等限定されないのである。
【００１６】
【発明の実施の形態】
図１から図４において、本例の下置きタイプのカム装置１は、上下動自在な上型２に固着されていると共に傾斜面３を有したカムドライバ４と、カムドライバ４の傾斜面３に接触してＢ方向に移動されるようになっているカムスライド５と、カムスライド５をＡ及びＢ方向に移動自在に支持するカムスライド支持手段６と、カムスライド５を初期位置に復帰させる復帰機構７と、カムスライド５の初期位置への復帰においてカムスライド５のカムスライド支持手段６への激突を防止する弾性ストッパ部材８とを備えている。
【００１７】
上型２は油圧ラム等に連結されており、カムドライバ４は油圧ラム等の作動で上型２を介して上下動されるようになっている。
【００１８】
Ａ及びＢ方向に可動なカムスライド５は、カムスライド本体１１と、カムスライド本体１１の傾斜面１２に一方の面で固着された低摩擦板（ウェアプレート）１３とを有しており、カムドライバ４の下降で低摩擦板１３の他方の面１４にカムドライバ４の傾斜面３が接触するようになっており、カムスライド本体１１の前面１５にパンチ等の工具が取り付けられるようになっている。
【００１９】
カムスライド支持手段６は、型基部、本例では下型基部２１と、下型基部２１に一体的に突設された一対の突起部２２及び２３と、下型基部２１に一体的に突設された前壁部２４及び後壁部２５と、後壁部２５に固着されていると共にカムドライバ４の下降においてカムドライバ４の後面３５に摺動自在に接触する低摩擦板（ウェアプレート）２６と、前壁部２４及び後壁部２５を橋絡する一対の側壁部２７及び２８とを具備しており、一対の突起部２２及び２３は下型基部２１の凹所２９において下型基部２１から一体的に突設されており、一対の側壁部２７及び２８の上面３０及び３１にカムスライド５の底面３２がＡ及びＢ方向に摺動自在に接触してカムスライド５はＡ及びＢ方向に可動になっている。斯かるカムスライド５は、そのＡ及びＢ方向の移動において一対の側壁部２７及び２８の上面３０及び３１から浮き上がらないように、一対の側壁部２７及び２８にねじ等により取り付けられた低摩擦板（ウェアプレート）３３及び３４によりＡ及びＢ方向に摺動自在に保持されている。
【００２０】
復帰機構７は、一端部４１ではカムスライド支持手段６の一方の突起部２２に、他端部４２ではカムスライド支持手段６の他方の突起部２３に夫々ねじ４３を介して固着されたロッド４４と、ロッド４４を取り巻いてロッド４４と同心に配されたコイルばね４５と、ロッド４４の一端部４１側に配されていると共にコイルばね４５の一端部４６側からの弾性伸長力を受容するばね受け４７と、ばね受け４７と協働してコイルばね４５に初期圧縮力を与えると共にコイルばね４５の他端部４８側から受容する弾性伸長力をカムスライド５に伝達する伝達手段４９とを具備している。
【００２１】
円柱状のロッド４４の一端部４１及び他端部４２の夫々には平坦面６１及び６２が形成されており、一端部４１及び他端部４２は、その平坦面６１及び６２の夫々において突起部２２及び２３の夫々の平坦頂面に当接して突起部２２及び２３の夫々に固着されている。
【００２２】
ばね受け４７は、本例では、一端部４１側においてロッド４４にＣリング６３を介して固着されて配されているが、これに代えて、溶接等を介して又はロッド４４の一端部４１側に螺合してロッド４４の一端部４１側に固着されて配されていてもよく、更には、ロッド４４の一端部４１側に固着されることなしに、ロッド４４の一端部４１からの抜け出しが突起部２２に当接して阻止されるようにして一端部４１側に可動に配されていてもよい。
【００２３】
伝達手段４９は、コイルばね４５の他端部４８側からの弾性伸長力を受容すると共にロッド４４の軸心に沿う方向、即ちＡ及びＢ方向に可動に配されたばね受け６５と、ロッド４４の軸心に沿う方向であってロッド４４の他端部４８に向かう方向のばね受け６５の移動を禁止してコイルばね４５に初期圧縮力を与えるようにロッド４４に固着された禁止部材６６と、一方ではばね受け６５に係合し、他方ではカムスライド５に固着されていると共にコイルばね４５の他端部４８側からの弾性伸長力をばね受け６５を介してカムスライド５に伝達する伝達部材６７と、ばね受け６５とロッド４４との間に介在されたブッシュ６８とを具備している。
【００２４】
ロッド４４を取り巻いて配された円環状のばね受け６５には、コイルばね４５の他端部４８が当接するようになっており、ばね受け６５の内周面に円筒状のブッシュ６８が固着されており、ばね受け６５は、ロッド４４の外周面に摺動自在に接触するブッシュ６８を介してＡ及びＢ方向に可動となっている。
【００２５】
ばね受け６５のＡ及びＢ方向の滑らかな移動を確保するために、ブッシュ６８と共に又はブッシュ６８に代えて、グリース又は固体潤滑剤等をブッシュ６８とロッド４４との間又はばね受け６５とロッド４４との間に介在させてもよく、グリース又は固体潤滑剤等を用いる場合には、ロッド４４の外周面又はばね受け６５の内周面にグリース溜め溝又は固体潤滑剤収容溝を設けるとよく、また、ブッシュ６８、グリース又は固体潤滑剤等を用いないで、ばね受け６５とロッド４４とをその内外周面で互いに直接接触させるようにしてばね受け６５をロッド４４にＡ及びＢ方向に可動に配してもよい。
【００２６】
禁止部材６６は、ロッド４４の他端部４２側に螺合してロッド４４に固着された一対のナット７１を具備しており、一対のナット７１でもってばね受け６５がロッド４４の他端部４２に向かって移動しないようになっている。
【００２７】
禁止部材６６としては、斯かるロッド４４に螺合するナット７１に代えて、ロッド４４に溶接により固着されたストッパ部材でもよい。
【００２８】
概略Ｌ字状の伝達部材６７は、ばね受け６５に係合すると共にロッド４４を跨ぐ二股部７２と、カムスライド本体１１の底面３２の凹所７３においてカムスライド本体１１にねじ７４を介して固定された固定部７５とを有している。
【００２９】
復帰機構７は、カムスライド５がＢ方向に移動されて伝達部材６７の二股部７２がばね受け６５に当接して係合し、ばね受け６５をＢ方向に移動させてコイルばね４５を縮めた後に、ばね受け６５が受容するコイルばね４５のＡ方向の弾性伸長力を伝達部材６７を介してカムスライド５に伝達してカムスライド５を初期位置に復帰させるようになっている。
【００３０】
以上のカム装置１において、油圧ラム等の作動で上型２を介してカムドライバ４が下降されると、カムドライバ４の傾斜面３が低摩擦板１３の面１４に当接すると共にカムドライバ４の後面３５が低摩擦板２６に当接して、この当接後、カムドライバ４の下降と共にカムドライバ４の傾斜面３と低摩擦板１３の面１４との滑りを伴ってカムスライド５はＢ方向に移動され、この移動により伝達部材６７の二股部７２がばね受け６５に当接して係合し、図５及び図６に示すようにばね受け６５がＢ方向に移動されてコイルばね４５が縮められると共にカムスライド本体１１の前面１５にねじ等により取り付けられたパンチ等の工具が前進され、この前進で薄板等の被加工物（ワーク）に孔あけ、折り曲げ等の加工がパンチ等の工具により施され、この加工後、油圧ラム等の作動で上型２を介してカムドライバ４が上昇されると、縮められたコイルばね４５のＡ方向の弾性伸長力により伝達手段４９を介してカムスライド５がＡ方向に移動され、この移動でカムスライド本体１１の前面１５に取り付けられたパンチ等の工具もまた後退され、最後に、図１及び図３に示すようにカムスライド５が初期位置に復帰され、この復帰にあたって、カムスライド本体１１が弾性ストッパ部材８に先に当接してカムスライド本体１１の後壁部２５への激突が弾性ストッパ部材８により防止される。
【００３１】
ところで、カム装置１によれば、コイルばね４５に取り巻かれたロッド４４の一端部４１及び他端部４２が下型基部２１に一体的に突設された突起部２２及び２３の夫々に固着されているために、ロッド４４を下型基部２１に取り付けるための大きな設置空間を占める特別なアングル部材等を必要としなくなる結果、アングル部材等を設置するための大きな凹所を下型基部２１に形成しなくてもよく、カムスライド５を移動自在に支持するカムスライド支持手段６の面である側壁部２７及び２８の上面３０及び３１を広くできて、カムスライド５の耐荷重性能を向上でき、しかも、より多くの復帰機構７をカムスライド５に対して設置できて強力な復帰力をカムスライド５に付与できる上に、部品点数の削減に加えて大幅なコスト削減を図り得、しかも、伝達部材６７が二股部７２を具備しているために、二股部７２を介して伝達部材６７を設置でき、カムスライド５の組立、分解を容易に行い得る。
【００３２】
上記のカム装置１においては、ばね受け６５と伝達部材６７とを有した伝達手段４９をもって復帰機構７を構成したが、これに代えて、図７から図９に示すように、ばね受け６５にばね受け機能に加えて伝達機能をもたせるようにして復帰機構７を構成してもよい。即ち、図７から図９に示す伝達手段４９は、コイルばね４５の他端部４８側からの弾性伸長力を受容すると共にロッド４４の軸心に沿う方向、即ちＡ及びＢ方向に可動に配された大形の円環状のばね受け６５と、ロッド４４の軸心に沿う方向であってロッド４４の他端部４２に向かう方向、即ちＡ方向のばね受け６５の移動を禁止してコイルばね４５に初期圧縮力を与えるようにロッド４４に螺合して固着された一対のナット７１を有した禁止部材６６とを具備している。
【００３３】
図７から図９に示す伝達手段４９を具備したカム装置１においては、カムスライド５のカムスライド本体１１は、ばね受け６５の外縁部８１を受容する凹所７３を具備しており、凹所７３での外縁部８１のカムスライド本体１１への当接でもって伝達手段４９は、カムスライド本体１１のＢ方向の移動をばね受け６５に伝達してコイルばね４５を縮め、コイルばね４５の弾性伸長力をカムスライド本体１１に伝達してカムスライド本体１１をＡ方向に移動させて初期位置に復帰させるようになっている。
【００３４】
図７から図９に示す伝達手段４９を具備したカム装置１では、ばね受け６５の外縁部８１の凹所７３に対する挿抜でもって、復帰機構７とカムスライド５との結合、分離を行い得、組立、分解を容易く行うことができる。
【００３５】
図７から図９に示す伝達手段４９においても、ばね受け６５とロッド４４との間に介在されたブッシュ６８を具備していてもよい。
【００３６】
【発明の効果】
本発明によれば、カムスライドの耐荷重性能を向上でき、しかも、より多くの復帰機構をカムスライドに対して設置できて強力な復帰力をカムスライドに付与できる上に、部品点数の削減に加えて大幅なコスト削減を図り得るカム装置を提供することができる。
【図面の簡単な説明】
【図１】本発明の実施の形態の好ましい例の正面断面説明図である。
【図２】図１に示す例の一部の平面説明図である。
【図３】図１に示す例の一部の正面断面説明図である。
【図４】図１に示す例の一部の側面断面図である。
【図５】図１に示す例の動作説明図である。
【図６】図１に示す例の動作説明図である。
【図７】本発明の実施の形態の好ましい他の例の一部の平面説明図である。
【図８】図７に示す例の正面断面説明図である。
【図９】図７に示す例の側面断面説明図である。
【符号の説明】
１  カム装置
２  上型
３  傾斜面
４  カムドライバ
５  カムスライド
６  カムスライド支持手段
７  復帰機構
２１  下型基部
２２、２３  突起部
４４  ロッド
４５  コイルばね
４７  ばね受け
４９  伝達手段
【図１】
2004314149.tif 000003
【図２】
2004314149.tif 000004
【図３】
2004314149.tif 000005
【図４】
2004314149.tif 000006
【図５】
2004314149.tif 000007
【図６】
2004314149.tif 000008
【図７】
2004314149.tif 000009
【図８】
2004314149.tif 000010
【図９】
2004314149.tif 000011